(57)【要約】【課題】チャンネルアップ／ダウンキーの操作によって、短時間で所望のチャンネルを選局することが可能な選局装置及び選局方法を提供する。【解決手段】チャンネルアップ／ダウンキーが連続押下されている間、所定の速度でチャンネル番号を順次切換えて、前記チャンネルアップ／ダウンキーが押下される直前に選局されていた放送チャンネルの番組画面上に重畳表示する手段と、前記チャンネルアップ／ダウンキーの連続押下が解除されたとき、その瞬間に前記表示されているチャンネル番号に対応する放送チャンネルの選局動作を実行する手段とを設けたものである。【選択図】　図３
2004135050.tif 000002
【特許請求の範囲】
【請求項１】
チャンネルアップ／ダウンキーの操作により、複数の放送チャンネルの１つを選局する選局装置であって、
前記チャンネルアップ／ダウンキーが連続押下されている間、所定の速度でチャンネル番号を順次切換えて、前記チャンネルアップ／ダウンキーが押下される直前に選局されていた放送チャンネルの番組画面上に重畳表示する手段と、
前記チャンネルアップ／ダウンキーの連続押下が解除されたとき、その瞬間に前記表示されているチャンネル番号に対応する放送チャンネルの選局動作を実行する手段とを設けたことを特徴とする選局装置。
【請求項２】
前記請求項１に記載の選局装置において、
前記画面上に表示されるチャンネル番号を順次切換える速度は、ユーザー調整により任意に設定制御されることを特徴とする選局装置。
【請求項３】
前記請求項１に記載の選局装置において、
前記画面上に表示されるチャンネル番号を順次切換える速度は、前記チャンネルアップ／ダウンキーの押下強度により可変制御されることを特徴とする選局装置。
【請求項４】
前記請求項１に記載の選局装置において、
前記画面上に表示されるチャンネル番号を順次切換える速度は、前記チャンネルアップ／ダウンキーの押下時間により可変制御されることを特徴とする選局装置。
【請求項５】
前記請求項１乃至４のいずれかに記載の選局装置において、
前記画面上に表示されるチャンネル番号が予め決められた所定の放送チャンネルに対応するチャンネル番号に到達したとき、一旦ブレイクポイントとして該放送チャンネルの選局動作を実行することを特徴とする選局装置。
【請求項６】
前記請求項５に記載の選局装置において、
前記ブレイクポイントとして選局動作が実行される放送チャンネルは、ユーザーにより任意に設定されたチャンネルであることを特徴とする選局装置。
【請求項７】
前記請求項５に記載の選局装置において、
前記ブレイクポイントとして選局動作が実行される放送チャンネルは、有料放送における購入番組チャンネルであることを特徴とする選局装置。
【請求項８】
チャンネルアップ／ダウンキーの操作により、複数の放送チャンネルの１つを選局する選局方法であって、
前記チャンネルアップ／ダウンキーが連続押下されていることを判定するステップと、
前記チャンネルアップ／ダウンキーが連続押下されている間、所定の速度でチャンネル番号を順次切換えて、前記チャンネルアップ／ダウンキーが押下される直前に選局されていた放送チャンネルの番組画面上に重畳表示するステップと、
前記チャンネルアップ／ダウンキーの連続押下が解除されたことを判定するステップと、
前記チャンネルアップ／ダウンキーの連続押下が解除されたとき、その瞬間に前記表示されているチャンネル番号に対応する放送チャンネルの選局動作を実行するステップとを有することを特徴とする選局方法。
【発明の詳細な説明】
【０００１】
【発明の属する技術分野】
本発明は、テレビジョン受像機、ビデオテープレコーダ等の放送受信装置に関し、特にチャンネルアップ／ダウンキーの操作により、所望のチャンネルを選局することが可能な選局装置に関するものである。
【０００２】
【従来の技術】
テレビジョン受像機、ビデオテープレコーダ等の放送受信装置で受信する放送チャンネルの切換操作、いわゆる選局操作は、例えば図４に示すようなリモートコントローラ（以下、リモコンと略称する）の数字キー１００で直接的にチャンネルを選択する場合と、チャンネルアップ／ダウン（＋／−）キー２０１、２０２でチャンネル番号を増加／減少させる場合とがあり、カード型等の小型リモコンや、簡易操作リモコン等では、チャンネルアップ／ダウンキーによる選局が主として採用されている。
【０００３】
ところで、従来のテレビジョン受像機は、地上波によるテレビジョン放送を受信するものが多く、近年においては、さらにアナログＢＳ（放送衛星）放送が受信可能なものも増加しつつある。このような地上波によるテレビジョン放送（地上テレビジョン放送）とアナログＢＳ放送とを受信するようなテレビジョン受像機において、上記チャンネル＋／−（アップ／ダウン）キーによる選局動作は、通常図５に示すようにして行われる。
【０００４】
すなわち、この図５において、チャンネルアップ／ダウンキーの操作により、地上テレビ（地上波によるテレビジョン放送）の各チャンネル（１ＣＨ、３ＣＨ、４ＣＨ、６ＣＨ、…）と、アナログＢＳの各チャンネル（ＢＳ５ＣＨ、ＢＳ７ＣＨ、ＢＳ９ＣＨ、…）とが連続して選択されるようになっている。例えば、地上テレビの最大のチャンネル番号が４２ＣＨで、アナログＢＳの最小のチャンネル番号がＢＳ５ＣＨの場合には、地上テレビの４２ＣＨが選択されている状態でチャンネル「＋」（アップ）キーを操作すると、アナログＢＳのＢＳ５ＣＨの選択状態に遷移し、また、アナログＢＳのＢＳ５ＣＨが選択されている状態でチャンネル「−」（ダウン）キーを操作すると、地上テレビの４２ＣＨの選択状態に遷移する。
【０００５】
このようなチャンネルアップ／ダウンキーの操作により、複数の放送チャンネルの１つを選局する従来の動作処理の概略について、図６のフローチャートとともに説明する。例えば地上テレビの１ＣＨが選局されて視聴している状態で、チャンネルアップキーが押下されると、チューナから出力されている１ＣＨの番組映像及び音声のミュート処理を行なうとともに、チューナにより地上テレビの３ＣＨの選局処理を行なった後、映像及び音声のミュート処理を解除して、３ＣＨの番組映像及び音声を出力する。
【０００６】
同様に、チャンネルアップキーの押下が解除されるまで、映像及び音声のミュート処理、選局チャンネルの切換え処理、映像及び音声のミュート解除からなる一連の処理を、順次繰り返し続行する。そして、所望の放送チャンネル（この場合、地上テレビの１２ＣＨ）が選局された時点で、ユーザーがチャンネルアップキーの押下を解除することにより、選局動作が完了する。
【０００７】
以上のように、ユーザーはチャンネルアップ／ダウンキーの操作により、各チャンネル番組を順次スキャンしながら視聴していき、視聴を目的とする番組或いは気に入った番組の映像及び音声が出力されたところで、チャンネルを固定して当該番組を見続けることが可能である。
【０００８】
【特許文献】
特開２００２−７７７４８号公報
特開２００２−２３２７９７号公報
【０００９】
【発明が解決しようとする課題】
しかしながら、上述した従来の選局装置においては、視聴を目的とする番組或いは気に入った番組を探すために、チャンネルアップ／ダウンキーを押下している間、映像及び音声のミュート処理、選局チャンネルの切換え処理、映像及び音声のミュート解除からなる一連の処理を順次繰り返して、各チャンネルの番組映像及び音声をスキャン出力しているので、このための処理時間が増大し、所望の番組のチャンネルを選局するまでに多大な時間が必要となる。
【００１０】
特に、近年実用化されつつあるＣＳディジタル放送やＢＳディジタル放送等の衛星ディジタル放送、あるいはＣＡＴＶ放送では、放送チャンネル数が多く、このような衛星ディジタル放送も受信可能な放送受信装置の選局を、上記チャンネルアップ／ダウンキーの操作によって行おうとすると、現在選局されているチャンネルから目的とするチャンネルが離れている場合、多大な時間が必要となり、使い勝手が悪いという問題があった。
【００１１】
本発明は、上記課題に鑑みてなされたものであり、チャンネルアップ／ダウンキーの操作によって、短時間で所望のチャンネルを選局することが可能な選局装置及び選局方法を提供するものである。
【００１２】
【課題を解決するための手段】
本願の第１の発明は、チャンネルアップ／ダウンキーの操作により、複数の放送チャンネルの１つを選局する選局装置であって、前記チャンネルアップ／ダウンキーが連続押下されている間、所定の速度でチャンネル番号を順次切換えて、前記チャンネルアップ／ダウンキーが押下される直前に選局されていた放送チャンネルの番組画面上に重畳表示する手段と、前記チャンネルアップ／ダウンキーの連続押下が解除されたとき、その瞬間に前記表示されているチャンネル番号に対応する放送チャンネルの選局動作を実行する手段とを設けたことを特徴とする。
【００１３】
本願の第２の発明は、前記画面上に表示されるチャンネル番号を順次切換える速度が、ユーザー調整により任意に設定制御されることを特徴とする。
【００１４】
本願の第３の発明は、前記画面上に表示されるチャンネル番号を順次切換える速度が、前記チャンネルアップ／ダウンキーの押下強度により可変制御されることを特徴とする。
【００１５】
本願の第４の発明は、前記画面上に表示されるチャンネル番号を順次切換える速度が、前記チャンネルアップ／ダウンキーの押下時間により可変制御されることを特徴とする。
【００１６】
本願の第５の発明は、前記画面上に表示されるチャンネル番号が予め決められた所定の放送チャンネルに対応するチャンネル番号に到達したとき、一旦ブレイクポイントとして該放送チャンネルの選局動作を実行することを特徴とする。
【００１７】
本願の第６の発明は、前記ブレイクポイントとして選局動作が実行される放送チャンネルが、ユーザーにより任意に設定されたチャンネルであることを特徴とする。
【００１８】
本願の第７の発明は、前記ブレイクポイントとして選局動作が実行される放送チャンネルが、有料放送における購入番組チャンネルであることを特徴とする。
【００１９】
本願の第８の発明は、チャンネルアップ／ダウンキーの操作により、複数の放送チャンネルの１つを選局する選局方法であって、前記チャンネルアップ／ダウンキーが連続押下されていることを判定するステップと、前記チャンネルアップ／ダウンキーが連続押下されている間、所定の速度でチャンネル番号を順次切換えて、前記チャンネルアップ／ダウンキーが押下される直前に選局されていた放送チャンネルの番組画面上に重畳表示するステップと、前記チャンネルアップ／ダウンキーの連続押下が解除されたことを判定するステップと、前記チャンネルアップ／ダウンキーの連続押下が解除されたとき、その瞬間に前記表示されているチャンネル番号に対応する放送チャンネルの選局動作を実行するステップとを有することを特徴とする。
【００２０】
上記のとおり、本発明の選局装置及び選局方法によれば、チャンネルアップ／ダウンキーが連続押下されている間、キー押下される直前に選局されていた放送チャンネルの番組映像及び音声を出力した状態で、所定の速度でチャンネル番号を順次切換えてＯＳＤ表示し、前記チャンネルアップ／ダウンキーの連続押下が解除されたとき、その瞬間にＯＳＤ表示されているチャンネル番号に対応した放送チャンネルの選局動作を実行するので、選局切換動作を繰り返すことによる処理時間の増大を防止して、簡単な操作により短時間で所望の放送チャンネルの選局を行なうことが可能となる。
【００２１】
【発明の実施の形態】
以下、本発明の一実施形態を、例えばテレビジョン受信機に適用した場合について、図１乃至図３とともに詳細に説明する。ここで、図１は本実施形態のテレビジョン受像機における概略構成を示すブロック図、図２は本実施形態のテレビジョン受像機におけるチャンネルアップ／ダウンキー操作による選局動作の基本概念を示すフローチャート、図３は本実施形態のテレビジョン受像機におけるチャンネルアップ／ダウンキー操作による選局動作の具体例を示すフローチャートである。
【００２２】
図１において、１はアンテナ、２は制御マイコン１０からのチューニング制御信号に従って、アンテナ１により受信したテレビ放送波から所定のチャンネルを選局するチューナ、３は制御マイコン１０からの制御信号に基づき、チューナ２より出力された映像信号に対して所定の映像処理を施す映像処理部、４は制御マイコン１０からの制御信号に基づき、所定のオンスクリーン表示（ＯＳＤ）信号を発生するＯＳＤ処理部、５は制御マイコン１０からの制御信号に基づき、映像処理部３からの映像信号と、ＯＳＤ処理部４からのオンスクリーン表示信号との重畳処理を行なう表示処理部、６は表示処理部５の出力に基づいて画像表示を行なうＬＣＤ，ＣＲＴ等を用いたディスプレイである。
【００２３】
７は制御マイコン１０からの制御信号に基づき、チューナ２より出力された音声信号に対して所定の音声処理を施す音声処理部、８は音声の出力を行なうスピーカー、９はリモートコントローラ（図４参照）からの赤外線リモコン信号を受信するリモコン受光部、１０はリモコン受光部９で受信されたリモコン信号を解析し、各構成ブロック２〜５，７に対してその動作処理の制御を行なう制御マイコンである。尚、本実施形態においては、リモコンに設けられたチャンネルアップ／ダウンキーによって選局操作を行なうものについて説明するが、装置本体の操作パネルにチャンネルアップ／ダウンキーを設け、これを操作することで選局動作を行なわせても良いことは言うまでもない。
【００２４】
上記のように構成してなるテレビジョン受信機におけるチャンネルアップ／ダウンキーの操作による選局動作について、その基本概念を図２とともに説明する。例えば地上テレビの１ＣＨが選局されて視聴している状態で、チャンネルアップキーが押下されると、制御マイコン１０はチューナ２での選局チャンネルの切換制御を行なわず、チューナ２で選局されている１ＣＨの番組映像及び音声をそのまま出力しつつ、チャンネルコールのカウントアップのみを行なうように制御する。
【００２５】
すなわち、チャンネルアップキーが連続押下されている間、所定の速度でチャンネル番号を順次上昇方向に切換えて、前記チャンネルアップキーが押下される直前に選局されていた１ＣＨの番組表示画面上にＯＳＤ表示する。尚、チャンネルダウンキーが連続押下されている間は、所定の速度でチャンネル番号を順次下降方向に切換えてＯＳＤ表示する。
【００２６】
そして、前記チャンネルアップキーの連続押下が解除されたとき、制御マイコン１０はチューナ２から出力されている１ＣＨの番組映像及び音声のミュート処理を行なうとともに、その時点で前記ＯＳＤ表示されているチャンネル番号に対応する放送チャンネル（この場合、地上テレビの１２ＣＨ）の選局動作を実行するようチューナ２を制御した後、映像及び音声のミュート処理を解除する。
【００２７】
すなわち、所望の放送チャンネルに対応したチャンネル番号がＯＳＤ表示された時点で、ユーザーがチャンネルアップキーの押下を解除することにより、チューナ２での選局チャンネルの切換処理を実行して、所望の番組映像及び音声を出力する。
【００２８】
さらに、本実施形態のテレビジョン受像機におけるチャンネルアップ／ダウンキー操作による選局動作の具体例について、図３のフローチャートとともに説明する。まず、選局チャンネルの切換を指示するリモコン信号がリモコン受光部９で受信されたら（ステップ１）、チャンネルアップ／ダウンキーが連続押下されているか否かを判定する（ステップ２）。
【００２９】
チャンネルアップ／ダウンキーが連続押下されなかった場合は、通常の選局処理ルーチン（１回のキー押下に伴って選局チャンネルを１段階だけアップ／ダウンする処理）に進む（ステップ３）。一方、チャンネルアップ／ダウンキーが連続押下されていると判定された場合は、チャンネルコールを１段階だけトグル処理する、すなわちキー押下直前に選局されているチャンネル番号をアップ／ダウンしてＯＳＤ表示するよう、ＯＳＤ処理部４、表示処理部５を制御する。このとき、チューナ２はキー押下直前に視聴していた放送チャンネルの選局を維持している。
【００３０】
次に、チャンネルアップ／ダウンキーが連続押下される間、チャンネルコールされる（ＯＳＤ表示される）チャンネル番号を順次切換える速度（トグル処理速度）を判定し（ステップ５）、この判定結果に基づいて待ち時間Ｘを算出する（ステップ６）。すなわち、▲１▼メニュー設定画面でユーザーが任意に設定したトグル処理速度、▲２▼チャンネルアップ／ダウンキーの押下強度により決定されるトグル処理速度、▲３▼チャンネルアップ／ダウンキーの押下時間により決定されるトグル処理速度、のいずれか或いはそれらの組み合わせから時間Ｘを算出して、この時間Ｘ（ｍｓｅｃ）だけ処理を一時停止する（ステップ７）。
【００３１】
このように、本実施形態においては、チャンネルコールの順次切換（送り）速度を、ユーザーがメニュー設定画面で直接設定したり、チャンネルアップ／ダウンキーの押下強度を調整することで、チャンネルコールの順次切換（送り）速度を任意に可変制御することが可能であり、例えば目的とするチャンネルに近づくと、キー押下強度を弱くすることでチャンネルコールの切換速度を遅くするなど、ユーザーの使い勝手を向上させることができる。
【００３２】
また、チャンネルアップ／ダウンキーの押下時間に連動してチャンネルコールの順次切換（送り）速度を可変制御することが可能であり、例えば予め設定された所定時間を超えると、チャンネルコールの順次切換（送り）速度を段階的に早くしたり遅くしたりして、より効率良く目的とするチャンネルに到達する時間を短縮することができる。
【００３３】
さらに、チャンネルコールされているチャンネル番号が予め決められた所定の放送チャンネルに対応するチャンネル番号に到達したか否かを判定する。すなわち、チャンネルコールされているチャンネル番号が、メニュー設定画面でユーザーが任意に設定した放送チャンネルに対応するものか否かを判定する（ステップ８）とともに、ＣＳディジタル放送などの有料放送における購入番組チャンネルに対応するものか否かを判定する（ステップ９）。
【００３４】
ここで、所定の放送チャンネルに対応することが判定された場合、ブレイクポイントとして上記チャンネルコールのトグル処理を停止し、ステップ１１に進み、該放送チャンネルの選局動作を実行するよう、チューナ２を制御する。尚、チャンネルアップ／ダウンキーの連続押下が開始される直前の選局チャンネルがブレイクポイントとして自動設定されるようにしても良い。
【００３５】
そして、チャンネルアップ／ダウンキーの連続押下が解除されたか否かを判定し（ステップ１０）、キー押下が続いている場合は、ステップ４に戻ってチャンネルコールを更に１段階トグル処理し、すなわちＯＳＤ表示するチャンネル番号を上昇又は下降して、上記処理を繰り返す。一方、キー押下が解除された場合は、ステップ１１に進み、このときチャンネルコールされているチャンネル番号に対応する放送チャンネルの選局動作を実行する。
【００３６】
以上のとおり、チャンネルコールのトグル処理を行なっているとき、ブレイクポイントの判定がなされた場合、或いはチャンネルアップ／ダウンキーの連続押下が解除された場合は、それまでチューナ２で選局されていた映像及び音声に対するミュート処理を行なうように、映像処理部５、音声処理部７を制御した（ステップ１１）上で、前記ブレイクポイントとして設定された放送チャンネル、或いはチャンネルアップ／ダウンキーの連続押下が解除された瞬間にチャンネルコールされていたチャンネル番号に対応する放送チャンネルの選局処理を行なうように、チューナ２に対する制御を行なう（ステップ１２）。
【００３７】
そして、映像及び音声に対するミュート処理を解除するように、映像処理部５、音声処理部７を制御する（ステップ１３）ことにより、チューナ２で切換選局された放送チャンネルの番組映像及び音声を、ディスプレイ６、スピーカー８を通じてユーザーに提供することが可能となる。尚、ブレイクポイントとして一旦選局処理がなされた放送チャンネルが、目的とする所望の放送チャンネルと異なる場合、ユーザーは再度チャンネルアップ／ダウンキーの押下操作を行なって、目的の放送チャンネルを選局すれば良い。
【００３８】
上述したとおり、本実施形態のテレビジョン受信機においては、チャンネルアップ／ダウンキーが連続押下されている間、チューナ２による選局切換動作を行なうことなく、キー押下される直前に選局されていた放送チャンネルの番組映像及び音声を出力した状態で、チャンネルコールのトグル処理のみを行なう。そして、前記チャンネルアップ／ダウンキーの連続押下が解除されたとき、その瞬間にチャンネルコールされているチャンネル番号に対応した放送チャンネルの選局切換動作を実行するので、選局切換動作を繰り返すことによる処理時間の増大を防止して、簡単な操作により短時間で所望の放送チャンネルの選局を行なうことができる。
【００３９】
また、上記チャンネルコールのトグル処理速度は、ユーザーがメニュー設定画面で直接設定したり、チャンネルアップ／ダウンキーの押下強度を調整することで、任意に可変制御することが可能になるとともに、さらに、チャンネルアップ／ダウンキーの押下時間に連動して上記チャンネルコールのトグル処理速度を可変制御することが可能であり、ユーザーにとって使い勝手の良い選局操作を実現することができる。
【００４０】
さらに、ブレイクポイントとして、上記チャンネルコールのトグル処理を一旦停止し、チューナ２の選局切換動作を実行する放送チャンネルを設定することができるので、高速でチャンネルコールのトグル処理を行なう場合であっても、ユーザーが視聴する可能性の高い適当なポイントで一旦選局動作を実行することが可能となり、効率良く目的の放送チャンネルを選局することができる。
【００４１】
【発明の効果】
本発明の選局装置及び選局方法によれば、チャンネルアップ／ダウンキーが連続押下されている間、所定の速度でチャンネル番号を順次切換えて、前記チャンネルアップ／ダウンキーが押下される直前に選局されていた放送チャンネルの番組画面上に重畳表示し、前記チャンネルアップ／ダウンキーの連続押下が解除されたとき、その瞬間に前記表示されているチャンネル番号に対応した放送チャンネルの選局動作を実行するので、チャンネルアップ／ダウンキーが連続押下されている間に、選局動作を繰り返すことによる処理時間の増大を防止して、簡単な操作により短時間で所望の放送チャンネルの選局を行なうことが可能となる。
【図面の簡単な説明】
【図１】本発明の一実施形態に係るテレビジョン受像機の概略構成を示すブロック図である。
【図２】本発明の一実施形態に係るテレビジョン受像機のチャンネルアップ／ダウンキー操作による選局動作の基本概念を示すフローチャートである。
【図３】本発明の一実施形態に係るテレビジョン受像機のチャンネルアップ／ダウンキー操作による選局動作の具体例を示すフローチャートである。
【図４】テレビジョン受像機のリモートコントローラの外観を示す平面説明図である。
【図５】従来のチャンネルアップ／ダウンキー操作による選局動作を説明するための説明図である。
【図６】従来のチャンネルアップ／ダウンキー操作による選局動作の基本概念を示すフローチャートである。
【符号の説明】
１　アンテナ
２　チューナ
３　映像処理部
４　ＯＳＤ処理部
５　表示処理部
６　ディスプレイ
７　音声処理部
８　スピーカー
９　リモコン受光部
１０　制御マイコン
【図１】
2004135050.tif 000003
【図２】
2004135050.tif 000004
【図３】
2004135050.tif 000005
【図４】
2004135050.tif 000006
【図５】
2004135050.tif 000007
【図６】
2004135050.tif 000008